(57)【要約】【課題】  保管、運搬上の利便性とともに、使用者のニーズの多様化、選択自由度の拡大、とりわけ収納キャビネットの多様な構造や意匠、さらにはキャビネット収納を伴わないフリープラン方式等への対応性に優れたフロアー収納体の新しい技術手段を提供する。【解決手段】  複数の型式のうちから選択される収納部ユニットに取付け固定可能とされたカウンター部と台輪部とが同梱ユニットとして構成されているフロアー収納体用のユニット構成体とする。【選択図】  図１
2007195695.tif 000002
【特許請求の範囲】
【請求項１】
複数の型式のうちから選択される収納部ユニットに取付け固定可能とされたカウンター部と台輪部とが同梱ユニットとして構成されていることを特徴とするフロアー収納体用のユニット構成体。
【請求項２】
台輪部は、一体物としての切り離し展開と変形によってカウンター部の幕板部として再構成されて取付け可能とされていることを特徴とする請求項１に記載のユニット構成体。
【請求項３】
台輪部には、切り離し展開可能な着脱自在の接続部と、変形のための折り曲げ可能なＶ字カット部が配設されていることを特徴とする請求項２に記載のユニット構成体。
【請求項４】
請求項１に記載のユニット構成体のカウンター部と台輪部とが、複数の型式のうちから選択された収納部ユニットに取付け固定されていることを特徴とするフロアー収納キャビネット。
【請求項５】
請求項２または３に記載のユニット構成体の台輪部が切り離し展開と変形によって幕板部としてカウンター部に取付け固定されていることを特徴とするフロアーオープン収納体。
【発明の詳細な説明】
【技術分野】
【０００１】
本発明は、洗面化粧台等の各種のフロアー収納体のユニット構成体とこれを用いたフロアー収納体等に関するものである。
【背景技術】
【０００２】
従来より、洗面ボール部を有する洗面化粧台をはじめとしてカウンタートップと共に収納キャビネットをも備えた各種のフロアー収納体が知られている。
【０００３】
そして、たとえば、図５に例示した洗面化粧台のような従来のフロアー収納体においては、カウンター部１と収納部２、さらには台輪部３までもが組立て一体化されて工場生産され、出荷されている。
【０００４】
ただ、このように組立て一体化されて完成品の状態のものは、その保管にスペースが必要で、運搬にもコストがかかり、しかも狭い施工場所への搬入も容易ではないという問題があることから、従来でも、カウンター部１、収納部２、そして台輪部３等を分離して扱うことが様々な手段として提案されている（特許文献１−３）。
【０００５】
しかしながら、このようなカウンター部１と収納部２等が分離されて運搬され、施工現場において組立てられるようにしたとしても、カウンター部１と収納部２とは特定の組合わせとしてその仕様は限られており、使用者の要望、選択、そしてこれを決めることになる施工設置場所の環境条件への対応の自由度には制限があった。
【０００６】
このため、近年の使用者ニーズの多様化と選択自由度の増大、たとえば収納キャビネットの多様な構造や意匠、さらにはキャビネットを伴わないフリープラン方式等に見合うだけの技術手段を欠いているのが実情であった。
【特許文献１】特開平８−２２８８５５号公報
【特許文献２】特開平８−２９４４２０号公報
【特許文献３】特開平１１−１０３９４９号公報
【発明の開示】
【発明が解決しようとする課題】
【０００７】
本発明は、以上のような背景から、保管、運搬上の利便性とともに、使用者のニーズの多様化、選択自由度の拡大、とりわけ収納キャビネットの多様な構造や意匠、さらにはキャビネット収納を伴わないフリープラン方式等への対応性に優れたフロアー収納体の新しい技術手段を提供することを課題としている。
【課題を解決するための手段】
【０００８】
本発明は、上記の課題を解決するために以下のことを特徴としている。
【０００９】
第１：複数の型式のうちから選択される収納部ユニットに取付け固定可能とされたカウンター部と台輪部とが同梱ユニットとして構成されているフロアー収納体用のユニット構成体。
【００１０】
第２：台輪部は、一体物としての切り離し展開と変形によってカウンター部の幕板部として再構成されて取付け可能とされている上記のユニット構成体。
【００１１】
第３：台輪部には、切り離し展開可能な着脱自在の接続部と、変形のための折り曲げ可能なＶ字カット部が配設されているユニット構成体。
【００１２】
第４：上記第１のユニット構成体のカウンター部と台輪部とが、複数の型式のうちから選択された収納部ユニットに取付け固定されているフロアー収納キャビネット。
【００１３】
第５：上記第２または第３のユニット構成体の台輪部が切り離し展開と変形によって幕板部としてカウンター部に取付け固定されているフロアーオープン収納体。
【発明の効果】
【００１４】
上記第１の発明のユニット構成体によれば、カウンター部と台輪部とを同梱ユニットとして収納部ユニットとは別に取扱うことができ、保管、運搬の利便性が高まるとともに、複数の型式の収納ユニットから選択したものに取付け固定が可能とされていることから、使用者のニーズの多様化、選択自由度の拡大、とりわけ収納キャビネットの多様な構造や意匠、さらにはキャビネット収納を伴わないフリープラン方式等への対応性に優れたフロアー収納体が提供される。
【００１５】
第２の発明によれば、キャビネット収納を伴わないフリープラン方式での、台輪の幕板部としての利用によるカウンター部への取付け固定が可能とされ、第３の発明によって、このことがより簡便に実現されることになる。
【００１６】
第４および第５の発明では、以上のとおりの効果を具現化したフロアー収納キャビネットとキャビネット収納を伴わないフロアーオープン収納体とが実現される。
【発明を実施するための最良の形態】
【００１７】
本発明は上記のとおりの特徴をもつものであるが、以下にその実施の形態について説明する。
【００１８】
添付した図面の図１および図２は本発明の一実施形態を例示した概要図である。ここでは、フロアー収納体としての洗面化粧台の場合が例示されている。
【００１９】
たとえば、図１のように、カウンター部１、収納部２、そして台輪部３とが各々分割、分離されて施工現場において取付け固定されて組立できるとしているが、カウンター部１と台輪部３とは、同梱ユニットとして組合わせて保管、運搬、そして施工現場へと搬入されるようにしている。
【００２０】
そして、このような収納部２からなる収納ユニットと、これとは別のユニットとしての上記のカウンター部１と台輪部３との同梱ユニットとによる構成体においては、図１に示した収納部２については、複数の型式のものから任意に選択されたものとしている。たとえば、図２に例示したように、（ａ）両開きタイプ、（ｂ）引出付きタイプ、（ｃ）全引出タイプ、（ｄ）オープン収納棚タイプ等の箱型であって、しかも複数の型式として準備されているものから、利用者が、機能性や意匠性、あるいは設置場所の条件等を考慮して自由に選択したものとすることができる。
【００２１】
カウンター部１と台輪部３とを同梱ユニットのセットとして出荷され、利用者が収納部２を適宜に選択することから、フロアー収納体のバリエーションは大きく広がることになる。
【００２２】
カウンター部１および台輪部３は、複数の型式の収納部２のいずれにも取付け固定できるようにされており、また、準備されている複数の型式の収納部２においてもこのことが可能とされている。そのための取付け固定の細部の工夫も適宜に施されてよい。たとえば、図３に例示したように、台輪部３に設けた突起あるいは凸部３１が、箱型の収納部２の底板部２１の凹部に位置調整自在に挿入され、台輪部３の前後あるいは左右方向の位置が施工現場で適宜に調整できるようにしておく。このことによって、たとえば図３の例示のように、幅木４がある場合でも、台輪部３を前方に移動して取付けでき、幅木による影響がないようにすることができる。
【００２３】
図４は別の第２の実施形態を例示している。この例においては、上記のような箱型の収納部２を用いることなく、オープン収納方式を構成している。すなわち、上記のようにカウンター部１と同梱ユニットにセットされた台輪部３を用いて、カウンター部が取付け固定される幕板部５を構成している。
【００２４】
台輪部３については、このような幕板部５としての再構成を可能とするため、たとえば図４（ａ）（ｂ）（ｃ）に例示したように、一体物としての台輪部３を所定の位置で切り離して展開できるような、着脱自在の接続部３２と、変形のための折り曲げ可能なＶ字カット部３３とを設けておくことができる。接続部３２において切り離し、所要の位置のＶ字カット部３３を折り曲げて幕板部５の形状、構造に再構成することができるようにする。
【００２５】
カウンター部１の洗面ボール部を隠すため等の部材としての幕板部５のカウンター部１への取付け固定のために、カウンター部１の裏面への固定のための金具６を設けることや、壁面への固定のための金具７を設けること等も適宜に考慮される。
【００２６】
もちろん、本発明においては以上の例示に限られることなく、更に様々な形態が可能であることは言うまでもない。たとえば、上記第２実施形態のように台輪部３を幕板部５として再構成することなく、別の目的、機能のための部材として再構成してもよい。また、組立てのための細部構造も様々であってよい。
【図面の簡単な説明】
【００２７】
【図１】本発明の第１の実施形態について例示し斜視図である。
【図２】（ａ）（ｂ）（ｃ）（ｄ）の各々は、複数の型式の収納部を例示した斜視図である。
【図３】第１の実施形態についてその施工を例示した断面図である。
【図４】（ａ）（ｂ）（ｃ）（ｄ）は、各々、第２の実施形態についての組立プロセスを例示した斜視図である。
【図５】従来のフロアー収納体を例示した斜視図である。
【符号の説明】
【００２８】
１    カウンター部
２    収納部
２１    底板部
３    台輪部
３１    突起あるいは凸部
３２    接続部
３３    Ｖ字カット部
４    幅木
５    幕板部
６、７    金具
【図１】
2007195695.tif 000003
【図２】
2007195695.tif 000004
【図３】
2007195695.tif 000005
【図４】
2007195695.tif 000006
【図５】
2007195695.tif 000007